(57)【要約】【課題】プラグ受けへのプラグの着脱を簡単に行うことができるコンセント装置及びこれを備えた調理台を提案する。【解決手段】本発明の一実施形態のコンセント装置１００は、上面が水まわりの作業面である調理台の前面部、かつ前記作業面の下方の位置に設けられるコンセント装置１００であって、コンセント装置１００は、プラグ受け２と、プラグ受け２の下方に位置するガイドとを備え、プラグ受け２は、プラグ７が接続される面が後方ほど下方に位置するように傾斜しており、前記ガイドは、前方ほど下方に位置するように傾き、プラグ受け２へのプラグ７の差込み方向及び引き抜き方向と略平行である。また、本発明の一実施形態の調理台は、前記のコンセント装置１００を上面が水まわりの作業面である台の前面部かつ前記作業面の下方の位置に備えた。【選択図】図２
2020080314.tif 000002
【特許請求の範囲】
【請求項１】
上面が水まわりの作業面である調理台の前面部、かつ前記作業面の下方の位置に設けられるコンセント装置であって、
前記コンセント装置は、プラグ受けと、前記プラグ受けの下方に位置するガイドとを備え、
前記プラグ受けは、プラグが接続される面が後方ほど下方に位置するように傾斜しており、
前記ガイドは、前方ほど下方に位置するように傾き、前記プラグ受けへの前記プラグの差込み方向及び引き抜き方向と略平行であることを特徴とするコンセント装置。
【請求項２】
前記ガイドの前面は、前記プラグ受けへの差込み方向及び引き抜き方向と略平行となることを特徴とする請求項１に記載のコンセント装置。
【請求項３】
請求項１または２記載のコンセント装置を上面が水まわりの作業面である台の前面部かつ前記作業面の下方の位置に備えたことを特徴とする調理台。
【発明の詳細な説明】
【技術分野】
【０００１】
本発明は、コンセント装置及びこれを備えた調理台に関し、詳しくは、上面が水まわりの作業面である台の前面部に設けられるコンセント装置及びこれを備えた調理台に関する。
【背景技術】
【０００２】
特許文献１には、上面が水まわりの作業面である台の前面部に設けられるコンセント装置が記載されている。
【０００３】
この特許文献１に示されるコンセント装置は、通電接続部（つまりプラグ受け）への水の付着を防止するために、プラグ受けが蓋で覆われている。蓋は、上端部を軸として、下端部が前方へ移動するように、回動自在に設けられている。
【先行技術文献】
【特許文献】
【０００４】
【特許文献１】特開２０１４−２３５９８３号公報
【発明の概要】
【発明が解決しようとする課題】
【０００５】
特許文献１に記載のコンセント装置は、プラグ接続の際に、例えば、一方の手で蓋を持ち上げながら、他方の手でプラグ受けにプラグを差し込まなければならず、片手だけでの操作が難しかった。
【０００６】
そこで、本発明は、プラグ受けへのプラグの着脱を簡単に行うことができるコンセント装置及びこれを備えた調理台を提案することを課題とする。
【課題を解決するための手段】
【０００７】
上記課題を解決するための本発明のコンセント装置は、上面が水まわりの作業面である調理台の前面部、かつ前記作業面の下方の位置に設けられるコンセント装置であって、前記コンセント装置は、プラグ受けと、前記プラグ受けの下方に位置するガイドとを備え、前記プラグ受けは、プラグが接続される面が後方ほど下方に位置するように傾斜しており、前記ガイドは、前方ほど下方に位置するように傾き、前記プラグ受けへの前記プラグの差込み方向及び引き抜き方向と略平行であることを特徴とする。
【０００８】
また、上記課題を解決するための本発明の調理台は、前記コンセント装置を上面が水まわりの作業面である台の前面部かつ前記作業面の下方の位置に備えたことを特徴とする。
【発明の効果】
【０００９】
本発明のコンセント装置及びこれを備えた調理台では、プラグ受けへのプラグの着脱を簡単に行うことができる。
【図面の簡単な説明】
【００１０】
【図１】本発明の一実施形態のコンセント装置が前面部に設けられた台の斜視図である。
【図２】同上のコンセント装置を示す側断面図であり、図２Ａは、蓋が閉位置にあるときの状態であり、図２Ｂは、蓋が開位置にあるときの状態である。
【図３】同上のコンセント装置の変形例を示す側断面図であり、図２Ａは、蓋が閉位置にあるときの状態であり、図２Ｂは、蓋が開位置にあるときの状態である。
【発明を実施するための形態】
【００１１】
以下、本発明の一実施形態について添付図面に基いて説明する。
【００１２】
図１には、本発明の一実施形態のコンセント装置１００が前面部に設けられた台１０１が示されている。台１０１は、上面が水まわりの作業面である台であり、本実施形態では、キッチンに設置される調理台である。以下では、平面視において、調理台に対して使用者が位置する側を前方とし、その反対側を後方とし、この前後方向に対して直交する方向を左右方向として、各構成について説明する。図１では、矢印Ｘ１で示す方向が前方であり、矢印Ｙ１で示す方向が右方向であり、矢印Ｚ１で示す方向が上方である。
【００１３】
台１０１は、キャビネット１０２と、その上に設置された天板１０３とを備える。天板１０３には、シンク１０４と加熱調理器１０５が設けられている。シンク１０４と加熱調理器１０５とは、それぞれの下部が、天板１０３よりも下方に突出しており、この突出した下部がそれぞれキャビネット１０２内の上部領域に収納されている。シンク１０４と加熱調理器１０５とは、左右方向に距離をおいて位置する。天板１０３の上面のうち、シンク１０４と加熱調理器１０５との間のスペースが、調理用スペースとなっている。
【００１４】
キャビネット１０２は、シンク１０４と加熱調理器１０５のそれぞれの下部の前方に位置する幕板１０６と、シンク１０４と加熱調理器１０５それぞれの下方の収納空間の前方に位置する前板１０７とを、前面部に有する。キャビネット１０２は、前板１０７を複数（本実施形態では４つ）有する。
【００１５】
前記収納空間には、例えば、上方に開口した箱状のストッカーが、複数、前後方向にスライド自在に収納される。各前板１０７は、各ストッカーの前面板である。そのため、各前板１０７は、本実施形態では、前方に引き出し自在である。なお、各前板１０７は、左右の端部のうちの一方の端部を中心として、他方の端部が前後方向に移動自在となるように回動する扉状に設けたものであってもよい。
【００１６】
また、キャビネット１０２には、食器洗浄機１０８が前方に引き出し自在に収納されている。なお、キャビネット１０２は、食器洗浄機１０８を有さないものであってもよく、この場合、食器洗浄機１０８の設置スペースは、収納空間として利用することができる。キャビネット１０２の収納空間には、調理器具や食器や調味料等が収納される。
【００１７】
幕板１０６と、前方に引き出していない状態の前板１０７と、前方に引き出していない状態の食器洗浄機１０８の前板１０９とは、前面が略面一となる。天板１０３は、その前端面が、幕板１０６、及び前方に引き出していない状態の前板１０７，１０９よりも前方に位置するように配置されている。
【００１８】
コンセント装置１００は、本実施形態では、シンク１０４の前方の幕板１０６に設けた設置孔１１０に設置されている。設置孔１１０は、シンク１０４の前方の幕板１０６の左端部に位置する。そのため、コンセント装置１００は、天板１０３の調理用スペースに近い箇所に設置されている。
【００１９】
コンセント装置１００は、図２Ａ及び図２Ｂに示すように、前面に開口１０を有するケース１と、ケース１の内部に設けられるプラグ受け２と、開口１０を開閉する蓋３と、蓋３を閉位置と開位置との間で移動自在に支持する支持機構４とを備える。前記開位置は、蓋３がケース１内に収納される位置である。支持機構４は、開位置にあるときの蓋３に対して、閉位置に移動させる弾性的な復元力を与える弾性体５と、蓋３を開位置で止めるストッパー６とを有する。
【００２０】
ケース１は、本実施形態では、直方体の箱状である。ケース１は、例えば、樹脂製である。ケース１は、前板部１１、後板部１２、上板部１３、下板部１４、及び左右一対の側板部を有する。前板部１１に、前後方向に貫通する開口１０が設けられている。開口１０は、前板部１１の左右方向中央部のうち下端を含む位置に配されている。そのため、前板部１１は、正面視にて下向きの略Ｕ字状である。後板部１２、上板部１３、下板部１４、及び左右一対の側板部は、それぞれ矩形板状である。
【００２１】
ケース１は、その内部に、内板１５をさらに有する。内板１５には設置孔１６が設けられており、この設置孔１６にプラグ受け２が設置されている。内板１５は、その下面が後方ほど下方に位置するように傾斜させて配置されている。
【００２２】
プラグ受け２は、商用電源等の電源に電気的に接続されたものであり、従来周知の多種多様なものが利用可能である。プラグ受け２には、ハンドミキサーやスムーザー等の各種電気機器が有する電源コードの先端のプラグ７が接続される。
【００２３】
プラグ受け２は、プラグ７が有する２つの栓刃７０が差し込まれる一対の差込孔２０を有する。一対の差込孔２０は、本実施形態では、左右に並んで位置する。なお、一対の差込孔２０は、上下に並んで位置するものであってもよい。
【００２４】
プラグ受け２は、一対の差込孔２０を複数組み有するものであってもよい。この場合、複数組みの差込孔２０は、左右方向に並んで位置するように設けられる。なお、複数組みの差込孔２０は、上下方向に並んで位置するように設けてもよい。これらの場合、プラグ受け２には、複数の各種電気機器のプラグ７を接続することができる。
【００２５】
プラグ受け２は、内板１５に取り付けた状態で、プラグ７が接続される面２１が、後方ほど下方に位置するように傾斜している。そのため、各差込孔２０の開口方向は前斜め下方となっている。
【００２６】
蓋３は、正面視矩形状であり、正面視における寸法が、前板部１１の開口１０に比べて僅かに小さい。蓋３は、ケース１と同様に、例えば樹脂製である。本実施形態では、蓋３は、上半部３０の前後方向の厚みが一定であり、下半部３１の前後方向の厚みが、上側ほど大きくなるように設けられている。下半部３１は、上半部３０よりも前後方向の厚みが大きく、側断面略直角三角形状となっている。上半部３０の上下長さは、下半部３１の上下長さよりも長い。蓋３は、上半部３０の後面の所定の箇所に、金属板等の磁性体８が、接着等により取り付けられている。
【００２７】
蓋３は、本実施形態では、その下端部の左右の端部にそれぞれ、左右方向外側に向けて突出する回転軸を有する。
【００２８】
蓋３を閉位置と開位置との間で移動自在に支持する支持機構４は、本実施形態では、蓋３の下端部の左右一対の回転軸を回転自在に支持する軸受を有する。左右一対の軸受は、ケース１の前板部１１のうち、蓋３の下端部の左右の端部それぞれに対向する部分に設けられている。
【００２９】
蓋３は、その下端部の左右一対の軸部が、支持機構４の左右一対の軸受によって回転自在に支持されることによって、下端部を中心として、上端部が前後方向に移動するように、ケース１に回動自在に取り付けられる。これにより、蓋３は、その前面が、前板部１１の前面と略面一となる閉位置と、ケース１内の開位置との間で移動可能となっている。
【００３０】
弾性体５は、本実施形態では、コイル状のばねである。弾性体５は、一端が蓋３の下半部３１の後面に固定され、他端が下板部１４の上面に設けた支持台１４０に固定されている。弾性体５は、例えば、蓋３が閉位置にあるときに自然長となり、蓋３が開位置にあるときに圧縮した状態となるように設置されている。
【００３１】
なお、弾性体５は、蓋３が閉位置にあるときにも圧縮した状態となるように設置されてもよい。この場合、前板部１１には、閉位置にあるときの蓋３に引っ掛かって、蓋３を閉位置で止める引掛け部を設けることが好ましい。
【００３２】
蓋３を開位置で止めるストッパー６は、本実施形態では、蓋３を磁力で吸着させるように構成された電磁石装置６０である。電磁石装置６０は、プラグ受け２とプラグ７とが接続状態にあるときに、磁力を発生させて蓋３を吸着させ、プラグ受け２とプラグ７とが非接続状態にあるときに、磁力を発生させないで、蓋３の吸着を解除するように構成されている。
【００３３】
詳しくは、電磁石装置６０は、後板部１２の前面に設けた設置台１２０の先端面（前端面）に取り付けられている。電磁石装置６０及び設置台１２０は、後方に回動してきた蓋３の上半部３０の後面の磁性体８に、電磁石装置６０が当たるように配置されている。
【００３４】
電磁石装置６０は、電気回路を介してプラグ受け２と電気的に接続されている。電磁石装置６０は、上述の電気回路に設けられた制御部によって制御される。この制御部によって、電磁石装置６０は、プラグ受け２とプラグ７とが接続状態にあるときに、磁力を発生させ、プラグ受け２とプラグ７とが非接続状態にあるときに、磁力を発生させないように制御される。
【００３５】
蓋３は、電磁石装置６０に当たった状態で、電磁石装置６０に磁力で吸着されることで、開位置で止められる。蓋３が開位置にあるとき、プラグ受け２は、開口１０を介して外部に露出する。
【００３６】
本実施形態のコンセント装置１００では、蓋３が開位置にある状態で、蓋３の前面が、プラグ受け２の各差込孔２０にプラグ７の各栓刃７０を差し込む方向に対して略平行となるように、電磁石装置６０の設置位置が決められている。
【００３７】
以上説明した本実施形態のコンセント装置１００は、例えば、以下のようにして、プラグ７のプラグ受け２への着脱を行うことができる。
【００３８】
まず、プラグ７を栓刃７０が上を向く姿勢で片手で持ち、このプラグ７を持つ手を、蓋３で閉じられたケース１の開口１０を通じて、ケース１内へ挿入する。このとき、プラグ７を持つ手によって閉位置にある蓋３が押圧されて、蓋３がケース１内へと移動する。
【００３９】
プラグ７を持つ手は、蓋３がそれ以上後方に移動しなくなるところまで、ケース１内の奥側へと挿入する。ここで、蓋３は、ストッパー６をなす電磁石装置６０に当たることで、後方への移動が止まる。この電磁石装置６０に当たり、後方への移動が不可となる位置が、蓋３の開位置である。
【００４０】
蓋３が後方へ動かなくなった後、プラグ７を持つ手を、蓋３の前面に当てながら、蓋３の前面に沿って上方へ移動させ、プラグ７の左右一対の各栓刃７０を、プラグ受け２の各差込孔２０へと差し込む。
【００４１】
プラグ７の各栓刃７０をプラグ受け２の各差込孔２０に差し込んだ後、プラグ７から手を離して、この手を開口１０を通じてケース１の外側へ出す。
【００４２】
プラグ７の各栓刃７０をプラグ受け２の各差込孔２０に差し込むと、プラグ７及び電源コードを介して各種電気機器に電力が供給される。このとき、プラグ受け２に電気的に接続された電気回路の制御部が、電磁石装置６０に電力を供給する制御を行う。これにより、電磁石装置６０が駆動して磁力を発生させ、蓋３の磁性体８を吸着して、蓋３を開位置に留める。これにより、プラグ７から手を離しても、蓋３は開位置にて保持される。
【００４３】
各種電気機器の使用が終わったら、開口１０を通じてケース１内に片手を挿入し、プラグ７を把持して、プラグ７の各栓刃７０を各差込孔２０から引き抜く。このとき、プラグ７を持つ手を、蓋３の前面に当てながら、蓋３の前面に沿って下方に移動させることによって、プラグ７の各栓刃７０を各差込孔２０からスムーズに引き抜くことができる。プラグ７の各栓刃７０を各差込孔２０から引き抜いた後、プラグ７を持つ手は、開口１０を通じてケース１の外側へと出す。
【００４４】
プラグ受け２の各差込孔２０からプラグ７の各栓刃７０が引き抜かれると、プラグ受け２に電気的に接続された電気回路の制御部が、電磁石装置６０への電力供給を停止する制御を行う。これにより、電磁石装置６０が磁力の発生を停止し、蓋３の磁性体８を吸着する状態が解除される。電磁石装置６０による蓋３の吸着が解除されると、蓋３は、弾性体５の弾性的な復元力によって前方へと押圧されて回動し、閉位置まで移動する。つまり、プラグ７をプラグ受け２から取り外すと、蓋３は、自動的に、開位置から閉位置へと移動する。
【００４５】
蓋３は、閉位置に戻ることで、その前面がケース１の前板部１１の前面と略面一となり、ケース１の開口１０を閉塞する。これにより、飛散してきた水が、プラグ受け２に付着して短絡等が生じることを抑制することができる。
【００４６】
以上説明したように、本実施形態のコンセント装置１００では、片手でプラグ７をプラグ受け２に接続する動作の中で、蓋３を開くことができる。そして、本実施形態のコンセント装置１００では、片手でプラグ受け２からプラグ７を取り外すことで、蓋３を自動的に閉位置へと移動させることができる。したがって、本実施形態のコンセント装置１００は、蓋３の開閉と、プラグ受け２へのプラグ７の着脱を、片手で簡単に行うことができる。
【００４７】
また、本実施形態のコンセント装置１００では、蓋３は、ケース１内において最大限押し込んだ位置が開位置となり、このとき、蓋３の前面が、プラグ７のプラグ受け２への差し込み方向及び引き抜き方向と略平行となる。そのため、本実施形態のコンセント装置１００では、蓋３が差し込み方向及び引き抜き方向のガイドとなり、プラグ７の各栓刃７０のプラグ受け２の各差込孔２０への着脱が行いやすくなっている。
【００４８】
また、本実施形態のコンセント装置１００では、蓋３は開口１０を開く開位置においてケース１に収納されるため、プラグ７をプラグ受け２に接続して天板１０３上の作業スペースで各種電気機器を扱う際に、蓋３が邪魔にならない。
【００４９】
また、本実施形態のコンセント装置１００では、プラグ７をプラグ受け２に接続しない未使用時には、ケース１の開口１０を蓋３で塞ぐことができ、ケース１内のプラグ受け２に、飛散してきた水が付着することを抑制でき、短絡等の発生を防止することができる。
【００５０】
また、本実施形態のコンセント装置１００では、プラグ受け２にプラグ７を接続した状態において、開位置にある蓋３の前面が、前方ほど下方に位置するように傾いた傾斜面となる。そのため、各種電気機器の使用中に、開口１０を通じてケース１内へ飛散してきた水は、蓋３の前面を伝って、ケース１外へと排出することができ、ケース１内には水が溜りにくくなっている。
【００５１】
なお、上述した実施形態のコンセント装置１００では、蓋３が左右の下端部にそれぞれ回転軸を有し、支持機構４がこの回転軸を回転自在に支持する軸受けを有するものであったが、これに限定されていない。例えば、支持機構４は、蓋３の下端部と、下板部１４の前端部とに固定されるヒンジであってもよい。この場合、蓋３は左右一対の回転軸を有していなくてもよい。
【００５２】
また、上述した実施形態のコンセント装置１００では、支持機構４は、蓋３を、下端部を中心として、上端部が前後に移動するように、回動自在に支持することで、蓋３を、開位置と閉位置との間で移動自在とするものであったが、これに限定されない。
【００５３】
例えば、支持機構４は、蓋３を、左右いずれか一方の端部を中心として、他方の端部が前後に移動するように、回動自在に支持するものであってもよい。また、蓋３は、左右方向の中央部で分割された２つの蓋体であってもよく、この場合、支持機構４は、左右の蓋体をそれぞれ、回動自在に支持するものであればよい。これらの２つの場合でも、片手での簡単な操作で、蓋３の開閉と、プラグ７のプラグ受け２への着脱を行うことができる。
【００５４】
また、支持機構４は、蓋３を、ケース１に対して前後方向にスライド可能に支持することで、蓋３を、開位置と閉位置との間で移動自在とするものであってもよい。この場合、内板１５は、水平に設置して、プラグ受け２は、各差込孔２０の開口方向が下向きとなるように内板１５に設置することが好ましい。このようにした場合でも、片手での簡単な操作で、蓋３の開閉と、プラグ７のプラグ受け２への着脱を行うことができ、また、蓋３をプラグ７の着脱のガイドとして利用することができる。
【００５５】
また、上述した本実施形態のコンセント装置１００では、支持機構４が有するストッパー６が、電磁石装置６０であったが、これに限定されない。
【００５６】
例えば、ストッパー６は、蓋３を開位置で機械的に止めるラッチであってもよく、この場合、蓋３の上半部３０の後面には、後方に突出するストライクが設けられる。ラッチは、引っ掛かって止まった状態にあるストライクをラッチ側に押し込むことによってストライクへの引っ掛かりが解除されるいわゆるプッシュラッチである。
【００５７】
また、上述した本実施形態のコンセント装置１００では、支持機構４が、ストッパー６を有するものであったが、ストッパー６を有していなくてもよい。この場合、開位置から閉位置へと移動する蓋３は、プラグ受け２に接続された状態のプラグ７に当たることで、前方への移動が止められ、プラグ受け２からプラグ７を取り外すことで、閉位置へと自動的に移動する。
【００５８】
また、上述した実施形態のコンセント装置１００では、台１０１がキッチンに設置される調理台であったが、台１０１は、洗面化粧台や、それ以外の、上面が水まわりの作業面である台であってもよい。
【００５９】
また、上述した実施形態のコンセント装置１００は、キャビネット１０２や天板１０３とは別体として設け、キャビネット１０２の幕板１０６の設置孔１１０に取り付けたものであったが、これに限定されない。
【００６０】
例えば、キャビネット１０２の幕板１０６の一部がケース１の前板部１１を構成してもよいし、キャビネット１０２が有する棚板や側板の一部がケース１の下板部１４や側板部を構成してもよいし、天板１０３の一部がケース１の上板部１３を構成してもよい。
【００６１】
また、上述した本実施形態のコンセント装置１００は、プラグ受け２が差込孔２０を有するものであったが、これに限定されてない。
【００６２】
例えば、プラグ受け２は、図３Ａに示すように、プラグ７の栓刃７０が差し込まれる差込孔２０を有さず、プラグ７が接続される面２１に、通電接続部２２と磁性体２３とを有するものであってもよい。この場合、プラグ受け２には、図３Ｂに示すように、先端にアタッチメント９を取り付けたプラグ７が接続される。アタッチメント９は、プラグ７が接続される面９０に、プラグ７の各栓刃７０が差し込まれる差込溝９１を有する。さらに、アタッチメント９は、プラグ受け２に接続される面９２に、プラグ受け２の通電接続部２２と接続される通電接続部９３と、プラグ受け２の磁性体２３に引き付けられる磁性体９４を有する。なお、磁性体２３，９４は、一方が磁石であり、他方が鉄などの金属部材であってもよいし、両方が磁石であってもよい。このようにした場合、プラグ７をプラグ受け２に接続する際に、プラグ７の先端に取り付けられたアタッチメント９の磁性体９４が、プラグ受け２の磁性体２３に引き付けられることになるため、プラグ７のプラグ受け２への接続をさらに簡単に行うことができる。
【００６３】
以上まとめると、本発明の実施形態のコンセント装置１００は、下記の構成を備えることを特徴とする。
【００６４】
すなわち、本発明の実施形態のコンセント装置１００は、上面が水まわりの作業面である台１０１の前面部に設けられたコンセント装置１００である。コンセント装置１００は、前面に開口１０を有するケース１と、ケース１の内部に設けられるプラグ受け２と、開口１０を開閉する蓋３と、蓋３を、開口１０を閉じる閉位置と、開口１０を開く開位置との間で移動自在に支持する支持機構４とを備える。前記開位置は、蓋３がケース１内に収納される位置である。支持機構４は、開位置にあるときの蓋３に対して、閉位置へ移動させる弾性的な復元力を与える弾性体５を有する。
【００６５】
上記構成を備えることで、本発明の実施形態のコンセント装置１００では、プラグ受け２に接続させるプラグ７を片手で持ち、プラグ受け２へと接続する動作の中で、蓋３を押圧して、蓋３を閉位置からケース１内の開位置へと移動させることができる。そして、本発明の実施形態のコンセント装置１００では、プラグ受け２からプラグ７を片手で取り外すことで、開位置にある蓋３を、弾性体５の弾性的な復元力によって、閉位置へと自動的に移動させることができる。したがって、本発明の実施形態のコンセント装置１００では、蓋３の開閉と、プラグ受け２へのプラグ７の着脱を、片手だけで簡単に行うことができる。
【００６６】
さらに、本発明の実施形態のコンセント装置１００は、上記の構成に加えて、下記の構成を付加的に備える。
【００６７】
すなわち、本発明の実施形態のコンセント装置１００では、支持機構４は、蓋３を開位置で止めるストッパー６をさらに有する。ストッパー６は、蓋３を磁力で吸着させるように構成された電磁石装置６０である。電磁石装置６０は、プラグ受け２とプラグ７とが接続状態にあるときに、前記磁力を発生させ、プラグ受け２とプラグ７とが非接続状態にあるときに、前記磁力を発生させない。
【００６８】
上記の付加的な構成を備えることで、本発明の実施形態のコンセント装置１００では、プラグ７をプラグ受け２に接続することで、電磁石装置６０に蓋３を吸着させて、蓋３を開位置にて留めておくことができる。そして、本発明の実施形態のコンセント装置１００では、プラグ受け２からプラグ７を取り外すことで、電磁石装置６０による蓋３の吸着を解除して、蓋３を、弾性体５の弾性的な復元力によって、閉位置へと自動的に移動させることができる。そのため、本発明の実施形態のコンセント装置１００では、プラグ７をプラグ受け２に接続した状態で、蓋３が開位置から意図せず前方に動いてプラグ７に当たることを抑制できる。これにより、本発明の実施形態のコンセント装置１００では、プラグ受け２からプラグ７を取り外すときに、蓋３が取り外しの邪魔になることを抑制することができる。
【００６９】
さらに、本発明の実施形態のコンセント装置１００は、上記の構成に加えて、下記の構成を付加的に備える。
【００７０】
すなわち、本発明の実施形態のコンセント装置１００では、プラグ受け２は、プラグ７を引き付ける磁性体２３有する。
【００７１】
上記の付加的な構成を備えることで、本発明の実施形態のコンセント装置１００では、磁性体２３の磁力によってプラグ受け２にプラグ７を引き付けて、プラグ受け２にプラグ７を接続することができる。そのため、本発明の実施形態のコンセント装置１００では、ケース１内に配置して、プラグ７との接続部分が見えにくくなったプラグ受け２に対して、プラグ７をスムーズに接続することができる。
【００７２】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００７３】
１      ケース
１０    開口
２      プラグ受け
２３    磁性体
３      蓋
４      支持機構
５      弾性体
６      ストッパー
６０    電磁石装置
７      プラグ
１００  コンセント装置
【図１】
2020080314.tif 000003
【図２】
2020080314.tif 000004
【図３】
2020080314.tif 000005